【手続補正書】
【提出日】平成23年11月17日(2011.11.17)
【手続補正１】
【補正対象書類名】明細書
【補正対象項目名】０１７７
【補正方法】変更
【補正の内容】
【０１７７】
本発明の好ましい実施形態の幾つかが上に記載され、具体的に例示されてきたが、本発明がかかる実施形態に限定されることは意図されない。様々な修正が、以下の特許請求の範囲に記述されるように、本発明の範囲および趣旨から逸脱することなく行われる可能性がある。
次に、本発明の好ましい態様を示す。
１  物品の形状が球形ではないという条件で、単層フィルム、シートもしくはチューブ、多層フィルム、シートもしくはチューブ、または別の多層構造体である物品であって、前記物品が二峰性アイオノマー組成物を含む少なくとも１つの表面層を有し、前記二峰性アイオノマー組成物が、
（ｉ）１種以上のＥ／Ｘ／Ｙコポリマー（ここで、Ｅはエチレンの共重合単位を表し、ＸはＣ3〜Ｃ8のα，β−エチレン系不飽和カルボン酸の共重合単位を表し、Ｙは、酢酸ビニル、アルキル基が１〜８個の炭素原子を有するアルキルアクリレートおよびアルキルメタクリレートからなる群から選択される軟化コモノマーの共重合単位を表し、Ｘの量はＥ／Ｘ／Ｙコポリマーの約２〜約３０重量％であり、Ｙの量はＥ／Ｘ／Ｙコポリマーの０〜約４５重量％であり、Ｅ／Ｘ／Ｙコポリマーは８０，０００〜５００，０００Ｄａの範囲の重量平均分子量（Ｍｗ）を有する）を含むハイコポリマーと；
（ｉｉ）１種以上のＥ／Ｚコポリマー（ここで、Ｅはエチレンの共重合単位を表し、Ｚはアクリル酸またはメタクリル酸の共重合単位を表し、Ｚの量はＥ／Ｚコポリマーの約３〜約２５重量％であり、Ｅ／Ｚコポリマーは２，０００〜３０，０００Ｄａの範囲のＭｗを有する）を含むローコポリマーと
を含み、
ここで、Ｅ／Ｘ／ＹコポリマーおよびＥ／Ｚコポリマー中の合わせた酸性基の少なくとも３５％が名目上中和されてカルボン酸塩を形成する物品。
２  前記ハイコポリマーと前記ローコポリマーとを合わせた総重量を基準にして、ハイコポリマーの重量％が約４０〜約９５重量％であり、ローコポリマーの重量％が約５〜約６０重量％であり、かつ、前記酸基の約４０〜１００％が名目上中和されて１種以上のアルカリ金属、アルカリ土類金属または遷移金属カチオンを含むカルボン酸塩を形成する上記１に記載の物品。
３  前記組成物中の前記金属カチオンの少なくとも２０当量％が亜鉛カチオンである上記１に記載の物品。
４  前記１種以上のＥ／Ｘ／Ｙコポリマーの少なくとも１種が、少なくとも１種のＥ／Ｘ／Ｙコポリマーの総重量を基準にして、約２〜約２５重量％のＸと約４５重量％以下の有限量のＹとを含む上記１に記載の物品。
５  前記Ｘの量がＥ／Ｘ／Ｙコポリマーの約５〜約２５重量％であり、前記Ｙの量がＥ／Ｘ／Ｙコポリマーの約１０〜約４５重量％である上記４に記載の物品。
６  前記Ｙの量が前記ハイコポリマーの０％である上記１に記載の物品。
７  前記Ｅ／Ｚコポリマー含有率が、前記ハイコポリマーと前記ローコポリマーとを合わせた総重量を基準にして約５〜約４０重量％の範囲である上記１に記載の物品。
８  （ａ）前記二峰性アイオノマー組成物と（ｂ）他のアイオノマー、他のエチレンコポリマー、無水マレイン酸および／または無水マレイン酸モノエステル含有ポリマー、ポリアミド、ポリエステル、コポリエーテルエステル、コポリエーテルアミド、弾性ポリオレフィン、スチレンジエンブロックコポリマ−、ポリ塩化ビニルおよび熱可塑性ポリウレタンからなる群から選択される少なくとも１種の熱可塑性樹脂とから本質的になる熱可塑性組成物を含む上記１に記載の物品であって；前記少なくとも１種の熱可塑性樹脂の量が前記熱可塑性組成物の総重量を基準にして約１〜約６０重量％である物品。
９  前記熱可塑性樹脂が前記他のアイオノマーを含み、前記他のアイオノマーがエチレン（メタ）アクリル酸コポリマーであり、前記（メタ）アクリル酸が前記ポリマーの２〜３０重量％であり、かつ、酸部分の約４０〜１００％が中和されて１種以上のアルカリ金属、アルカリ土類金属または遷移金属カチオンを含むカルボン酸塩を形成する上記８に記載の物品。
１０  前記二峰性アイオノマー組成物を含む表面層を含む多層フィルムを含む上記１に記載の物品であって、（ｉ）または（ｉｉ）と同じものまたはそれらとは異なるものである１種以上のポリマー樹脂を含む少なくとも１つの追加の層をさらに含み、前記ポリマー樹脂が、ポリ塩化ビニル、熱可塑性ウレタン、ポリエステル、ポリアミド、ポリエチレンホモポリマー、ポリエチレンコポリマー、ポリプロピレンホモポリマー、ポリプロピレンコポリマー、エチレン酢酸ビニルコポリマー、エチレンアルキルアクリレートコポリマー、エチレンアルキルメタクリレートコポリマー、エチレン酸コポリマー、エチレン酸アイオノマー、酸無水物グラフト変性ポリマー、およびエチレンと、少なくとも２個のカルボン酸基を有するＣ4〜Ｃ8の不飽和酸、ならびに環状酸無水物、少なくとも２個のカルボン酸基を有するＣ4〜Ｃ8の不飽和酸のモノエステルおよびジエステルからなる群から選択されるコモノマーとの共重合単位を含むコポリマーからなる群から選択される、物品。
１１  前記二峰性アイオノマー組成物を含むまたはそれから製造された少なくとも１つの表面層と、基材の形状が球形ではないという条件で、熱可塑性フィルムおよびシート、気泡質発泡体、織布、編布および不織布、紙、パルプおよび板紙製品、木材および木材製品、金属、ガラス、石、セラミック、および皮革および皮革様製品；ならびに熱可塑性または熱硬化性プラスチックからなる群から選択される基材を含む少なくとも１つの追加の層とを含む上記１に記載の多層構造体。
１２  （１）上記１に記載の二峰性アイオノマー組成物の第１表面を第１基材の表面の少なくとも一部と接触させ、および任意選択的に前記二峰性アイオノマー組成物の第２表面を第２基材の表面の少なくとも一部と接触させる工程と；
（２）前記二峰性アイオノマー組成物に高周波電磁放射線、および任意選択的に圧力、熱、またはそれらの組み合わせを適用し、それによって前記二峰性アイオノマー組成物を軟化させるかまたは溶融させる工程と；
（３）前記軟化したまたは溶融した二峰性アイオノマー組成物をそのまま固め、それによって前記二峰性アイオノマー組成物の第１表面を前記第１基材に接合し、および前記二峰性アイオノマー組成物の第２表面を、存在する場合、前記第２基材に接合する工程と
を含む多層物品の製造方法であって、
前記第１基材および前記任意の第２基材が、熱可塑性フィルムおよびシート、気泡質発泡体、織布、編布および不織布、紙、パルプおよび板紙製品、木材および木材製品、金属、ガラス、石、セラミック、および皮革および皮革様製品、熱可塑性樹脂、熱硬化性樹脂、ならびに上記１に記載の二峰性アイオノマー組成物からなる群から独立して選択される方法。
１３  上記１２に記載の方法であって、前記二峰性アイオノマー組成物の第２表面を、工程（１）の前に、直接または介在層を介して、第３基材の表面の少なくとも一部に接着させる工程を含み、ここで、第２基材が存在せず、前記第３基材が、熱可塑性フィルムおよびシート、気泡質発泡体、織布、編布および不織布、紙、パルプおよび板紙製品、木材および木材製品、金属、ガラス、石、セラミック、および皮革および皮革様製品；熱可塑性樹脂、熱硬化性樹脂、ならびに前記二峰性アイオノマー組成物と同じものまたはそれとは異なるものであってもよい第２二峰性アイオノマー組成物からなる群から独立して選択され、前記第２二峰性アイオノマー組成物が、
（ｉ）１種以上のＥ／Ｘ／Ｙコポリマー（ここで、Ｅはエチレンの共重合単位を表し、ＸはＣ3〜Ｃ8のα，β−エチレン系不飽和カルボン酸の共重合単位を表し、Ｙは、酢酸ビニル、アルキル基が１〜８個の炭素原子を有するアルキルアクリレートおよびアルキルメタクリレートからなる群から選択される軟化コモノマーの共重合単位を表し、Ｘの量はＥ／Ｘ／Ｙコポリマーの約２〜約３０重量％であり、Ｙの量はＥ／Ｘ／Ｙコポリマーの０〜約４５重量％であり、Ｅ／Ｘ／Ｙコポリマーは８０，０００〜５００，０００Ｄａの範囲の重量平均分子量（Ｍｗ）を有する）を含むハイコポリマーと；
（ｉｉ）１種以上のＥ／Ｚコポリマー（ここで、Ｅはエチレンの共重合単位を表し、Ｚはアクリル酸またはメタクリル酸の共重合単位を表し、Ｚの量はＥ／Ｚコポリマーの約３〜約２５重量％であり、Ｅ／Ｚコポリマーは２，０００〜３０，０００Ｄａの範囲のＭｗを有する）を含むローコポリマーと
を含み；
ここで、Ｅ／Ｘ／ＹコポリマーおよびＥ／Ｚコポリマー中の合わせた酸性基の少なくとも３５％が名目上中和されてカルボン酸塩を形成する方法。
１４  前記接着工程が、押出積層、押出コーティング、共押出積層、共押出コーティング、積層、カレンダー加工積層、接着剤支援積層、熱積層、シーリング、ホットロール積層を用いる熱溶接、フレーム積層、ヒートシーリング、無線周波または高周波溶接、水性分散系コーティング、粉末散乱、粉末ドットおよびペーストドットプロセスからなる群から選択される１つ以上のプロセスを含む上記１３に記載の方法。
１５  前記二峰性アイオノマー組成物が単層または多層のフィルムもしくはシートの形態にある上記１２に記載の方法。
１６  二峰性アイオノマーフィルムが前記第１基材であり；二峰性アイオノマーフィルムの２つのシートを層状にする工程か、または同一の二峰性アイオノマーフィルムをそれ自体上に折り重ねる工程と；高周波電磁放射線を適用することによってシートの周辺を密封してバッグまたはパウチを形成する工程とを含む上記１２に記載の方法。
１７  前記二峰性アイオノマー組成物が粉末または顆粒の形態にある上記１２に記載の方法。
１８  前記第２基材が存在する上記１２に記載の方法。
１９  前記ハイコポリマーと前記ローコポリマーとを合わせた総重量を基準にして、ハイコポリマーの重量％が約４０〜約９５重量％であり、ローコポリマーの重量％が約５〜約６０重量％であり、かつ、前記酸基の約４０〜１００％が名目上中和されて１種以上のアルカリ金属、アルカリ土類金属または遷移金属カチオンを含むカルボン酸塩を形成する上記１２に記載の方法。
２０  前記組成物中の前記金属カチオンの少なくとも２０当量％が亜鉛カチオンである上記１２に記載の方法。
２１  前記１種以上のＥ／Ｘ／Ｙコポリマーの少なくとも１種が、少なくとも１種のＥ／Ｘ／Ｙコポリマーの総重量を基準にして、約２〜約２５重量％のＸと約４５重量％以下の有限量のＹとを含む上記１２に記載の方法。
２２  Ｘが前記Ｅ／Ｘ／Ｙコポリマーの約５〜約２５重量％であり、Ｙが前記Ｅ／Ｘ／Ｙコポリマーの約１０〜約４５重量％である上記２１に記載の方法。
２３  Ｙが前記ハイコポリマーの０％である上記１２に記載の方法。
２４  前記Ｅ／Ｚコポリマー含有率が（ｉ）＋（ｉｉ）を基準にして約５〜約４０重量％の範囲である上記１２に記載の方法。
２５  製品の表面の少なくとも一部が、
（ｉ）１種以上のＥ／Ｘ／Ｙコポリマー（ここで、Ｅはエチレンの共重合単位を表し、ＸはＣ3〜Ｃ8のα，β−エチレン系不飽和カルボン酸の共重合単位を表し、Ｙは、酢酸ビニル、アルキル基が１〜８個の炭素原子を有するアルキルアクリレートおよびアルキルメタクリレートからなる群から選択される軟化コモノマーの共重合単位を表し、ＸはＥ／Ｘ／Ｙコポリマーの約２〜約３０重量％であり、ＹはＥ／Ｘ／Ｙコポリマーの約４５重量％までの有限量であり、Ｅ／Ｘ／Ｙコポリマーは８０，０００〜５００，０００Ｄａの範囲の重量平均分子量（Ｍｗ）を有する）を含むハイコポリマーと；
（ｉｉ）１種以上のＥ／Ｚコポリマー（ここで、Ｅはエチレンの共重合単位を表し、Ｚはアクリル酸またはメタクリル酸の共重合単位を表し、ＺはＥ／Ｚコポリマーの約３〜約２５重量％であり、Ｅ／Ｚコポリマーは２，０００〜３０，０００Ｄａの範囲のＭｗを有する）を含むローコポリマーと
を含むまたはそれらから製造される二峰性アイオノマー組成物を含み、
ここで、Ｅ／Ｘ／ＹコポリマーおよびＥ／Ｚコポリマー中の合わせた酸性基の少なくとも３５％が、相当する塩へ金属イオンで名目上中和されている製品であって、
防水布、旗、標識、室内装飾品、履物、衣類、防水衣、レインコート、保護掛布、保護カバー、壁紙、ブラインドまたはカーテン、キーボード保護カバー、自動車内装内張、映写膜、皮革商品、アップリケ、装飾フィルム、履物用の装飾パッチ、装飾ラップ、サッカーボールスキンを含む運動競技用器材用のカバーまたは保護表面、装飾箱、本の表紙、バインダー、管材料、フレキシブルパッケージング、硬質パッケージング、バッグ、医療液含有用パウチ、熱成形品、およびワイヤからなる群から選択される製品。
【手続補正２】
【補正対象書類名】特許請求の範囲
【補正対象項目名】全文
【補正方法】変更
【補正の内容】
【特許請求の範囲】
【請求項１】
物品の形状が球形ではないという条件で、単層フィルム、シートもしくはチューブ、多層フィルム、シートもしくはチューブ、または別の多層構造体である物品であって、前記物品が二峰性アイオノマー組成物を含む少なくとも１つの表面層を有し、前記二峰性アイオノマー組成物が、
（ｉ）１種以上のＥ／Ｘ／Ｙコポリマー（ここで、Ｅはエチレンの共重合単位を表し、ＸはＣ3〜Ｃ8のα，β−エチレン系不飽和カルボン酸の共重合単位を表し、Ｙは、酢酸ビニル、アルキル基が１〜８個の炭素原子を有するアルキルアクリレートおよびアルキルメタクリレートからなる群から選択される軟化コモノマーの共重合単位を表し、Ｘの量はＥ／Ｘ／Ｙコポリマーの約２〜約３０重量％であり、Ｙの量はＥ／Ｘ／Ｙコポリマーの０〜約４５重量％であり、Ｅ／Ｘ／Ｙコポリマーは８０，０００〜５００，０００Ｄａの範囲の重量平均分子量（Ｍｗ）を有する）を含むハイコポリマーと；
（ｉｉ）１種以上のＥ／Ｚコポリマー（ここで、Ｅはエチレンの共重合単位を表し、Ｚはアクリル酸またはメタクリル酸の共重合単位を表し、Ｚの量はＥ／Ｚコポリマーの約３〜約２５重量％であり、Ｅ／Ｚコポリマーは２，０００〜３０，０００Ｄａの範囲のＭｗを有する）を含むローコポリマーと
を含み、
ここで、Ｅ／Ｘ／ＹコポリマーおよびＥ／Ｚコポリマー中の合わせた酸性基の少なくとも３５％が名目上中和されてカルボン酸塩を形成する物品。
【請求項２】
前記ハイコポリマーと前記ローコポリマーとを合わせた総重量を基準にして、ハイコポリマーの重量％が約４０〜約９５重量％であり、ローコポリマーの重量％が約５〜約６０重量％であり、かつ、前記酸基の約４０〜１００％が名目上中和されて１種以上のアルカリ金属、アルカリ土類金属または遷移金属カチオンを含むカルボン酸塩を形成する請求項１に記載の物品。
【請求項３】
前記組成物中の前記金属カチオンの少なくとも２０当量％が亜鉛カチオンである請求項１に記載の物品。
【請求項４】
前記Ｘの量がＥ／Ｘ／Ｙコポリマーの約５〜約２５重量％であり、前記Ｙの量がＥ／Ｘ／Ｙコポリマーの約１０〜約４５重量％である請求項３に記載の物品。
【請求項５】
（ａ）前記二峰性アイオノマー組成物と（ｂ）他のアイオノマー、他のエチレンコポリマー、無水マレイン酸および／または無水マレイン酸モノエステル含有ポリマー、ポリアミド、ポリエステル、コポリエーテルエステル、コポリエーテルアミド、弾性ポリオレフィン、スチレンジエンブロックコポリマ−、ポリ塩化ビニルおよび熱可塑性ポリウレタンからなる群から選択される少なくとも１種の熱可塑性樹脂とから本質的になる熱可塑性組成物を含む請求項１に記載の物品であって；前記少なくとも１種の熱可塑性樹脂の量が前記熱可塑性組成物の総重量を基準にして約１〜約６０重量％である物品。
【請求項６】
前記熱可塑性樹脂が前記他のアイオノマーを含み、前記他のアイオノマーがエチレン（メタ）アクリル酸コポリマーであり、前記（メタ）アクリル酸が前記ポリマーの２〜３０重量％であり、かつ、酸部分の約４０〜１００％が中和されて１種以上のアルカリ金属、アルカリ土類金属または遷移金属カチオンを含むカルボン酸塩を形成する請求項５に記載の物品。
【請求項７】
前記二峰性アイオノマー組成物を含む表面層を含む多層フィルムを含む請求項１に記載の物品であって、（ｉ）または（ｉｉ）と同じものまたはそれらとは異なるものである１種以上のポリマー樹脂を含む少なくとも１つの追加の層をさらに含み、前記ポリマー樹脂が、ポリ塩化ビニル、熱可塑性ウレタン、ポリエステル、ポリアミド、ポリエチレンホモポリマー、ポリエチレンコポリマー、ポリプロピレンホモポリマー、ポリプロピレンコポリマー、エチレン酢酸ビニルコポリマー、エチレンアルキルアクリレートコポリマー、エチレンアルキルメタクリレートコポリマー、エチレン酸コポリマー、エチレン酸アイオノマー、酸無水物グラフト変性ポリマー、およびエチレンと、少なくとも２個のカルボン酸基を有するＣ4〜Ｃ8の不飽和酸、ならびに環状酸無水物、少なくとも２個のカルボン酸基を有するＣ4〜Ｃ8の不飽和酸のモノエステルおよびジエステルからなる群から選択されるコモノマーとの共重合単位を含むコポリマーからなる群から選択され、または、前記少なくとも１つの追加の層が、基材の形状が球形ではないという条件で、熱可塑性フィルムおよびシート、気泡質発泡体、織布、編布および不織布、紙、パルプおよび板紙製品、木材および木材製品、金属、ガラス、石、セラミック、および皮革および皮革様製品；ならびに熱可塑性または熱硬化性プラスチックからなる群から選択される基材を含む物品。
【請求項８】
（１）請求項１に記載の二峰性アイオノマー組成物の第１表面を第１基材の表面の少なくとも一部と接触させ、および任意選択的に前記二峰性アイオノマー組成物の第２表面を第２基材の表面の少なくとも一部と接触させる工程と；
（２）前記二峰性アイオノマー組成物に高周波電磁放射線、および任意選択的に圧力、熱、またはそれらの組み合わせを適用し、それによって前記二峰性アイオノマー組成物を軟化させるかまたは溶融させる工程と；
（３）前記軟化したまたは溶融した二峰性アイオノマー組成物をそのまま固め、それによって前記二峰性アイオノマー組成物の第１表面を前記第１基材に接合し、および前記二峰性アイオノマー組成物の第２表面を、存在する場合、前記第２基材に接合する工程と
を含む多層物品の製造方法であって、
前記第１基材および前記任意の第２基材が、熱可塑性フィルムおよびシート、気泡質発泡体、織布、編布および不織布、紙、パルプおよび板紙製品、木材および木材製品、金属、ガラス、石、セラミック、および皮革および皮革様製品、熱可塑性樹脂、熱硬化性樹脂、ならびに請求項１に記載の二峰性アイオノマー組成物からなる群から独立して選択される方法。
【請求項９】
請求項８に記載の方法であって、前記二峰性アイオノマー組成物の第２表面を、工程（１）の前に、直接または介在層を介して、第３基材の表面の少なくとも一部に接着させる工程を含み、ここで、第２基材が存在せず、前記第３基材が、熱可塑性フィルムおよびシート、気泡質発泡体、織布、編布および不織布、紙、パルプおよび板紙製品、木材および木材製品、金属、ガラス、石、セラミック、および皮革および皮革様製品；熱可塑性樹脂、熱硬化性樹脂、ならびに前記二峰性アイオノマー組成物と同じものまたはそれとは異なるものであってもよい第２二峰性アイオノマー組成物からなる群から独立して選択され、前記第２二峰性アイオノマー組成物が、
（ｉ）１種以上のＥ／Ｘ／Ｙコポリマー（ここで、Ｅはエチレンの共重合単位を表し、ＸはＣ3〜Ｃ8のα，β−エチレン系不飽和カルボン酸の共重合単位を表し、Ｙは、酢酸ビニル、アルキル基が１〜８個の炭素原子を有するアルキルアクリレートおよびアルキルメタクリレートからなる群から選択される軟化コモノマーの共重合単位を表し、Ｘの量はＥ／Ｘ／Ｙコポリマーの約２〜約３０重量％であり、Ｙの量はＥ／Ｘ／Ｙコポリマーの０〜約４５重量％であり、Ｅ／Ｘ／Ｙコポリマーは８０，０００〜５００，０００Ｄａの範囲の重量平均分子量（Ｍｗ）を有する）を含むハイコポリマーと；
（ｉｉ）１種以上のＥ／Ｚコポリマー（ここで、Ｅはエチレンの共重合単位を表し、Ｚはアクリル酸またはメタクリル酸の共重合単位を表し、Ｚの量はＥ／Ｚコポリマーの約３〜約２５重量％であり、Ｅ／Ｚコポリマーは２，０００〜３０，０００Ｄａの範囲のＭｗを有する）を含むローコポリマーと
を含み；
ここで、Ｅ／Ｘ／ＹコポリマーおよびＥ／Ｚコポリマー中の合わせた酸性基の少なくとも３５％が名目上中和されてカルボン酸塩を形成する方法。
【請求項１０】
前記接着工程が、押出積層、押出コーティング、共押出積層、共押出コーティング、積層、カレンダー加工積層、接着剤支援積層、熱積層、シーリング、ホットロール積層を用いる熱溶接、フレーム積層、ヒートシーリング、無線周波または高周波溶接、水性分散系コーティング、粉末散乱、粉末ドットおよびペーストドットプロセスからなる群から選択される１つ以上のプロセスを含む請求項９に記載の方法。
【請求項１１】
前記二峰性アイオノマー組成物が単層または多層のフィルムもしくはシートの形態にある請求項８に記載の方法。
【請求項１２】
二峰性アイオノマーフィルムが前記第１基材であり；二峰性アイオノマーフィルムの２つのシートを層状にする工程か、または同一の二峰性アイオノマーフィルムをそれ自体上に折り重ねる工程と；高周波電磁放射線を適用することによってシートの周辺を密封してバッグまたはパウチを形成する工程とを含む請求項８に記載の方法。
【請求項１３】
前記二峰性アイオノマー組成物が粉末または顆粒の形態にある請求項８に記載の方法。
【請求項１４】
製品の表面の少なくとも一部が、
（ｉ）１種以上のＥ／Ｘ／Ｙコポリマー（ここで、Ｅはエチレンの共重合単位を表し、ＸはＣ3〜Ｃ8のα，β−エチレン系不飽和カルボン酸の共重合単位を表し、Ｙは、酢酸ビニル、アルキル基が１〜８個の炭素原子を有するアルキルアクリレートおよびアルキルメタクリレートからなる群から選択される軟化コモノマーの共重合単位を表し、ＸはＥ／Ｘ／Ｙコポリマーの約２〜約３０重量％であり、ＹはＥ／Ｘ／Ｙコポリマーの約４５重量％までの有限量であり、Ｅ／Ｘ／Ｙコポリマーは８０，０００〜５００，０００Ｄａの範囲の重量平均分子量（Ｍｗ）を有する）を含むハイコポリマーと；
（ｉｉ）１種以上のＥ／Ｚコポリマー（ここで、Ｅはエチレンの共重合単位を表し、Ｚはアクリル酸またはメタクリル酸の共重合単位を表し、ＺはＥ／Ｚコポリマーの約３〜約２５重量％であり、Ｅ／Ｚコポリマーは２，０００〜３０，０００Ｄａの範囲のＭｗを有する）を含むローコポリマーと
を含むまたはそれらから製造される二峰性アイオノマー組成物を含み、
ここで、Ｅ／Ｘ／ＹコポリマーおよびＥ／Ｚコポリマー中の合わせた酸性基の少なくとも３５％が、相当する塩へ金属イオンで名目上中和されている製品であって、
防水布、旗、標識、室内装飾品、履物、衣類、防水衣、レインコート、保護掛布、保護カバー、壁紙、ブラインドまたはカーテン、キーボード保護カバー、自動車内装内張、映写膜、皮革商品、アップリケ、装飾フィルム、履物用の装飾パッチ、装飾ラップ、サッカーボールスキンを含む運動競技用器材用のカバーまたは保護表面、装飾箱、本の表紙、バインダー、管材料、フレキシブルパッケージング、硬質パッケージング、バッグ、医療液含有用パウチ、熱成形品、およびワイヤからなる群から選択される製品。